(57)【要約】【課題】デジタルカメラにより撮影された画像データを預かっておくことのできる証明写真撮影装置及び画像データ転送システムを提供する。【解決手段】証明写真を作成する第１証明写真撮影装置１００において、デジタルカメラと所定のプロトコル（PTP/IP通信プロトコル）に準じた無線通信を行って、当該デジタルカメラとの間で画像データを送受信するデジタルカメラ通信部１９０及びデジタルカメラ通信制御プログラム１１６１を実行した制御部１１１と、デジタルカメラ通信部１９０及びデジタルカメラ通信制御プログラム１１６１を実行した制御部１１１により受信された画像データを記憶するＤＶＤ記憶部１１４と、を備えるよう構成した。【選択図】図４
2007295372.tif 000002
【特許請求の範囲】
【請求項１】
証明写真を作成する証明写真撮影装置において、
デジタルカメラと所定のプロトコルに準じた無線通信を行って、当該デジタルカメラとの間で画像データを送受信する通信手段と、
前記通信手段により受信された画像データを記憶する記憶手段と、
を備えることを特徴とする証明写真撮影装置。
【請求項２】
請求項１に記載の証明写真撮影装置において、
前記所定のプロトコルは、PTP/IP通信プロトコルであることを特徴とする証明写真撮影装置。
【請求項３】
請求項１又は２に記載の証明写真撮影装置において、
前記無線通信を妨害する妨害電磁波の強度が周囲のエリアよりも低い特定エリアを備え、
前記通信手段は、前記特定エリア内に位置する前記デジタルカメラと所定のプロトコルに準じた無線通信を行って、当該デジタルカメラとの間で画像データを送受信することを特徴とする証明写真撮影装置。
【請求項４】
請求項３に記載の証明写真撮影装置において、
前記証明写真撮影装置の筐体の一部又は全部を、電磁波吸収材料及び/又は電磁波遮蔽材料によって形成して、当該証明写真撮影装置内の一部又は全体を前記特定エリアとすることを特徴とする証明写真撮影装置。
【請求項５】
請求項３に記載の証明写真撮影装置において、
当該証明写真撮影装置内に、電磁波吸収材料及び/又は電磁波遮蔽材料によって形成されたボックスを設置して、当該ボックス内を前記特定エリアとすることを特徴とする証明写真撮影装置。
【発明の詳細な説明】
【技術分野】
【０００１】
本発明は、証明写真撮影装置に関する。
【背景技術】
【０００２】
従来、撮影室内で被撮影者の顔を撮影して、当該被撮影者の証明写真を作成する証明写真撮影装置が知られている（例えば、特許文献１参照）。証明写真撮影装置は、様々な場所に設置されているため、ユーザ（被撮影者）にとって利用し易い。
【０００３】
ところで、デジタルカメラのメモリが、当該デジタルカメラにより撮影した画像データで満杯になると、予備のメモリの手持ちがない場合には、デジタルカメラのメモリ内の画像データを消去しないと、デジタルカメラによる撮影を続行することができないという問題がある。
【０００４】
近年、デジタルカメラとパソコン等との間で無線通信を行うための通信プロトコルとして、PTP/IP（Picture Transfer Protocol over TCP/IP networks）通信プロトコルが開発された。このPTP/IP通信プロトコルに準じた無線通信によれば、例えば、デジタルカメラからパソコン等へ画像データを送信したり、或いは、パソコン等によりデジタルカメラを制御することができる。
【０００５】
そこで、デジタルカメラのメモリが画像データで満杯になった場合は、PTP/IP通信プロトコルに準じた無線通信によって、当該画像データをパソコン等へ送信して当該パソコン等に保管させておく方法が考えられる。
【特許文献１】特開２００２−２７７９３３号公報
【発明の開示】
【発明が解決しようとする課題】
【０００６】
しかしながら、外出先では、上記パソコン等を常に携帯しているとは限らないので、上記問題を解決することはできない。
【０００７】
本発明の課題は、デジタルカメラにより撮影された画像データを預かっておくことのできる証明写真撮影装置を提供することにある。
【課題を解決するための手段】
【０００８】
上記課題を解決するために、請求項１に記載の発明は、
証明写真を作成する証明写真撮影装置において、
デジタルカメラと所定のプロトコルに準じた無線通信を行って、当該デジタルカメラとの間で画像データを送受信する通信手段と、
前記通信手段により受信された画像データを記憶する記憶手段と、
を備えることを特徴とする。
【０００９】
請求項２に記載の発明は、
請求項１に記載の証明写真撮影装置において、
前記所定のプロトコルは、PTP/IP通信プロトコルであることを特徴とする。
【００１０】
請求項３に記載の発明は、
請求項１又は２に記載の証明写真撮影装置において、
前記無線通信を妨害する妨害電磁波の強度が周囲のエリアよりも低い特定エリアを備え、
前記通信手段は、前記特定エリア内に位置する前記デジタルカメラと所定のプロトコルに準じた無線通信を行って、当該デジタルカメラとの間で画像データを送受信することを特徴とする。
【００１１】
請求項４に記載の発明は、
請求項３に記載の証明写真撮影装置において、
前記証明写真撮影装置の筐体の一部又は全部を、電磁波吸収材料及び/又は電磁波遮蔽材料によって形成して、当該証明写真撮影装置内の一部又は全体を前記特定エリアとすることを特徴とする。
【００１２】
請求項５に記載の発明は、
請求項３に記載の証明写真撮影装置において、
当該証明写真撮影装置内に、電磁波吸収材料及び/又は電磁波遮蔽材料によって形成されたボックスを設置して、当該ボックス内を前記特定エリアとすることを特徴とする。
【発明の効果】
【００１３】
請求項１に記載の発明によれば、デジタルカメラにより撮影された画像データを預かっておくことができる。
すなわち、本発明の証明写真撮影装置は、デジタルカメラのメモリ内の画像データを預かって保管しておくことができる。したがって、例えば、出先でデジタルカメラのメモリが画像データで満杯になり、予備のメモリの手持ちがない場合でも、本発明の証明写真撮影装置を利用することによって、ユーザは、デジタルカメラでの撮影を続行することができる。
【００１４】
請求項２に記載の発明によれば、請求項１に記載の発明と同様の効果が得られることは無論のこと、画像データの送受信に適した無線通信プロトコルであるPTP/IP通信プロトコルを適用することができる。
【００１５】
請求項３に記載の発明によれば、請求項１又は２に記載の発明と同様の効果が得られることは無論のこと、本発明の証明写真撮影装置は、デジタルカメラとの間での無線通信を妨害する妨害電磁波の強度が周囲のエリアよりも低い特定エリアを備えているため、証明写真撮影装置周辺に存在する無関係のデジタルカメラとの誤通信を防止することができる。
【００１６】
請求項４に記載の発明によれば、請求項３に記載の発明と同様の効果が得られることは無論のこと、本発明の証明写真撮影装置内全体が特定エリアであり、本発明の証明写真撮影装置は、証明写真撮影装置内に位置するデジタルカメラとしか無線通信しないため、証明写真撮影装置周辺に存在する無関係のデジタルカメラとの誤通信を防止することができる。
【００１７】
請求項５に記載の発明によれば、請求項３に記載の発明と同様の効果が得られることは無論のこと、本発明の証明写真撮影装置内に備えられたボックス内が特定エリアであり、本発明の証明写真撮影装置は、当該ボックス内に位置するデジタルカメラとしか無線通信しないため、ボックス外に位置する無関係のデジタルカメラとの誤通信を防止することができる。
【発明を実施するための最良の形態】
【００１８】
以下、図を参照して、本発明にかかる証明写真撮影装置の最良の形態を詳細に説明する。なお、発明の範囲は、図示例に限定されない。
【００１９】
＜画像データ転送システムの構成＞
まず、本発明にかかる証明写真撮影装置（第１証明写真撮影装置１００や第２証明写真撮影装置２００）を備える画像データ転送システム１０００の構成について説明する。
画像データ転送システム１０００は、例えば、図１に示すように、ネットワークＮを介して接続される、第１証明写真撮影装置１００と、第２証明写真撮影装置２００と、サーバ装置３００と、などを備えるとともに、第１証明写真撮影装置１００や第２証明写真撮影装置２００と無線通信可能なデジタルカメラ４００を備えて構成される。
【００２０】
ネットワークＮは、インターネット、ＬＡＮ（Local Area Network）、ＷＡＮ（Wide Area Network）などの通信ネットワークであり、電話回線網、ＩＳＤＮ（Integrated Services Digital Network）回線網、広域帯通信回線網、専用線、移動体通信網、通信衛星回線、ＣＡＴＶ（Community Antenna TeleVision）回線網、光通信回線、無線通信回線などの各種通信回線と、それらを接続するインターネットサービスプロバイダを含む。
【００２１】
（第１証明写真撮影装置の構成）
第１証明写真撮影装置１００は、例えば、証明写真を作成するためのものである。
第１証明写真撮影装置１００は、例えば、図２及び３に示すように、ボックス型に形成されており、例えば、第１証明写真撮影装置１００の筐体１００ａの外壁には、プリントされた証明写真等を取り出すための取出口１８１が設置されている。
また、例えば、第１証明写真撮影装置１００の内部には、撮影室１００ｃが設置されており、撮影室１００ｃの入り口には、開閉可能なカーテン１００ｂが設置されている。
【００２２】
撮影室１００ｃには、例えば、ユーザＭが座る椅子１００ｄが回転可能に備えられており、椅子１００ｄは、回転によって昇降するように構成されている。
また、例えば、撮影室１００ｃにおけるユーザＭの上方、正面及び背面に相当する位置には、それぞれ照明用のストロボ１２０ａが設置されている。
また、例えば、撮影室１００ｃにおけるユーザＭの正面に相当する位置には、操作手順等に関する各種画面や、撮影された証明写真画像、デジタルカメラ４００から取得した画像データに基づく画像などを表示するための表示部１４０と、ユーザＭが撮影室１００ｃ内に入室したことを検出するための入室センサ１５０と、撮影料金や基本料金（後述）などを精算するためのコインメック１６０と、ユーザＭが操作指示を入力するための操作ボタン１７０ａやタッチパネル１７０ｂと、などが設置されている。
【００２３】
また、第１証明写真撮影装置１００は、例えば、第１証明写真撮影装置１００とデジタルカメラ４００との間での無線通信を妨害する妨害電磁波の強度が周囲のエリアよりも低い特定エリアＡを備えている。
具体的には、例えば、第１証明写真撮影装置１００内にある撮影室１００ｃにおけるユーザＭの正面に相当する位置には、ボックス１００ｅが設置されている。このボックス１００ｅは、電磁波吸収材料及び/又は電磁波遮蔽材料によって形成されているため、ボックス１００ｅ内を特定エリアＡとすることができる。
【００２４】
妨害電磁波とは、例えば、第１証明写真撮影装置１００とデジタルカメラ４００との間での無線通信（例えば、PTP/IP通信プロトコルに準じた無線通信）に使用される電波の周波数（例えば、2.4GHz又は5.2GHz）付近の周波数を有する電磁波のことである。
また、ボックス１００ｅは、例えば、電磁波吸収塗料（例えば、電磁波ノイズ吸収抑制塗料<OLS-9014>（株式会社日本電波吸収体  製）等）が塗布された材料や、電磁波吸収ボード（例えば、発泡ポリエチレンボード型吸収体<ＰＥＢシリーズ>（東北化工株式会社  製）等）で構成された材料、電磁波遮蔽フィルム（例えば、電磁波シールドフィルム<RE35AMAR>（住友スリーエム株式会社  製）、レフテル（ＮＩ帝人商事株式会社  製）等）が貼付された材料で形成されている。
【００２５】
第１証明写真撮影装置１００は、例えば、図４に示すように、本体部１１０と、ストロボユニット１２０と、カメラ１３０と、表示部１４０と、入室センサ１５０と、コインメック１６０と、操作部１７０と、プリンタ部１８０と、デジタルカメラ通信部１９０と、ネットワーク通信部１９５と、などを備えて構成される。
【００２６】
ストロボユニット１２０は、例えば、本体部１１０から入力される制御信号に従って、撮影室１００ｃ内の各位置に備えられたストロボ１２０ａの発光タイミングや発光量を制御する。
【００２７】
カメラ１３０は、例えば、光学レンズと、ＣＣＤ（Charge Coupled Device）やＣＭＯＳ（Complementary Metal-Oxide Semiconductor）などの撮像素子と、Ａ／Ｄ変換部と、などから構成されている。
カメラ１３０は、例えば、本体部１１０から入力される制御信号に従って、光学レンズを介して入力された被写体像を撮像素子により光電変換してアナログ画像信号を生成し、そして、Ａ／Ｄ変換部により当該アナログ画像信号からデジタルの画像データ（証明写真画像データ）を生成して、当該証明写真画像データを本体部１１０に出力する。
なお、カメラ１３０に替えて、動画を記録可能なビデオカメラを適用するようにしてもよい。
【００２８】
表示部１４０は、例えば、ＬＣＤ（Liquid Crystal Display）パネル等から構成されており、例えば、本体部１１０から入力される表示信号に従って、所与の表示処理を行う。
【００２９】
入室センサ１５０は、例えば、ユーザＭが撮影室１００ｃ内に入室したことを検出するためのものであり、ユーザＭの入室を検出すると、その検出信号を本体部１１０に出力する。
なお、入室センサ１５０は、例えば、発光器と受光器とからなる光学式センサ等が適用可能である。
【００３０】
コインメック１６０は、例えば、硬貨や紙幣の入金口や金銭の返金口などを備えた金銭登録機である。
具体的には、コインメック１６０は、例えば、入金口から入金された金額に関する課金情報を本体部１１０に出力するとともに、本体部１１０から入力された制御信号に従って釣銭額に応じた硬貨や紙幣を返金口に排出する。
【００３１】
操作部１７０は、例えば、撮影室１００ｃの内壁に備えられた操作ボタン１７０ａや、表示部１４０と一体的に構成されたタッチパネル１７０ｂなどから構成されており、例えば、ユーザＭによる操作に伴う押下信号を本体部１１０に出力する。
具体的には、操作部１７０は、例えば、ユーザＭが画像データ識別情報としての受付オーダ番号を入力する際に操作される。
【００３２】
また、操作部１７０は、例えば、ユーザＭが第１証明写真撮影装置１００に預けるデジタルカメラ４００のメモリに記憶された画像データの保管先を選択する際に操作される。
具体的には、保管先としては、例えば、第１証明写真撮影装置１００と、第２証明写真撮影装置２００（外部機器）と、サーバ装置３００と、がある。
例えば、デジタルカメラ４００のメモリ内の画像データを、第１証明写真撮影装置１００に預けた後、再び第１証明写真撮影装置１００が設置された場所に戻ってきて、当該画像データを第１証明写真撮影装置１００から返却してもらう予定であれば、ユーザＭは、保管先として、第１証明写真撮影装置１００を選択する。
また、例えば、デジタルカメラ４００のメモリ内の画像データを、第１証明写真撮影装置１００に預けた後、第１証明写真撮影装置１００とは異なる場所に設置された第２証明写真撮影装置２００に出向いて、当該画像データを第２証明写真撮影装置２００から返却してもらう予定であれば、ユーザＭは、保管先として、第２証明写真撮影装置２００（外部機器）を選択する。
また、例えば、第１証明写真撮影装置１００に預けるデジタルカメラ４００のメモリ内の画像データを、第１証明写真撮影装置１００から返却してもらうか、或いは、第２証明写真撮影装置２００（外部機器）から返却してもらうか決めていない場合には、ユーザＭは、保管先として、サーバ装置３００を選択する。
【００３３】
プリンタ部１８０は、例えば、本体部１１０から入力される制御信号に従って、カメラ１３０により撮影されて生成された証明写真画像データに基づく証明写真画像を、所定の用紙にプリントして証明写真を作成し、当該証明写真を取出口１８１から排出する。
【００３４】
また、プリンタ部１８０は、例えば、本体部１１０から入力される制御信号に従って、デジタルカメラ４００から預かった画像データに対応する受付オーダ番号を含む受付完了情報を所定の用紙にプリント出力し、当該受付完了情報がプリント出力された所定の用紙を取出口１８１から排出する。
ここで、受付完了情報とは、例えば、画像データ識別情報としての受付オーダ番号や、第１証明写真撮影装置１００の装置番号、第１証明写真撮影装置１００の設置場所の住所、預かる画像データに基づく画像のサムネイル画像、伝票などに関する情報である。また、画像データの保管先として第２証明写真撮影装置２００（外部機器）が選択された場合には、第２証明写真撮影装置２００の装置番号や、第２証明写真撮影装置２００の設置場所の住所などに関する情報も、受付完了情報に含まれる。
なお、プリンタ部１８０のプリント方式としては、昇華型熱転写方式や、溶融転写記録方式、電子写真方式、インクジェット方式などを適用してもよいし、その他のプリント方式を適用してもよい。また、銀塩写真像を形成する方式を適用してもよい。
【００３５】
デジタルカメラ通信部１９０は、例えば、本体部１１０から入力される制御信号に従って、ボックス１００ｅ内（特定エリアＡ内）に位置するデジタルカメラ４００と所定のプロトコル（例えば、PTP/IP通信プロトコル）に準じた無線通信を行って、デジタルカメラ４００との間で各種情報の送受信を行う。
【００３６】
ネットワーク通信部１９５は、例えば、本体部１１０から入力される制御信号に従って、ネットワーク上の各種機器（第２証明写真撮影装置２００やサーバ装置３００）と通信を行って、当該各種機器との間で各種情報の送受信を行う。
【００３７】
本体部１１０は、例えば、制御部１１１と、Ｉ／Ｏ（Input/Output）コントロール１１２と、Ｉ／Ｆ（InterFace）１１３と、ＤＶＤ（Digital Versatile Disk）記憶部１１４と、ＲＡＭ（Random Access Memory）１１５と、ＲＯＭ（Read Only Memory）１１６と、などを備えて構成される。
そして、本体部１１０は、例えば、Ｉ／Ｏコントロール１１２を介して、ストロボユニット１２０や、コインメック１６０、操作部１７０などと接続しており、Ｉ／Ｆ１１３を介して、プリンタ部１８０等と接続している。
【００３８】
制御部１１１は、例えば、第１証明写真撮影装置１００の各部を集中制御する。
具体的には、制御部１１１は、例えば、ＲＯＭ１１６に記憶された第１証明写真撮影装置１００用の各種処理プログラムに従って各種の制御動作を行う。
【００３９】
Ｉ／Ｏコントロール１１２は、例えば、ストロボユニット１２０や、コインメック１６０、操作部１７０などとの間で各種情報を入出力するためのインターフェイスである。
【００４０】
Ｉ／Ｆ１１３は、例えば、プリンタ部１８０等との間で各種情報を入出力するためのインターフェイスである。
【００４１】
ＤＶＤ記憶部１１４は、例えば、カメラ１３０により撮影されて生成された証明写真画像データや、表示部１４０の表示される各種画面の画面画像データと、などを記憶する。
【００４２】
また、ＤＶＤ記憶部１１４は、例えば、記憶手段として、制御部１１１から入力される制御信号に従って、デジタルカメラ４００から預かった画像データと、当該画像データを識別するための受付オーダ番号と、などを対応付けて記憶する。
【００４３】
ＲＡＭ１１５は、制御部１１１によって実行される処理プログラムなどを展開するためのプログラム格納領域や、入力データや上記処理プログラムが実行される際に生じる処理結果などを格納するデータ格納領域などを備える。
【００４４】
ＲＯＭ１１６は、第１証明写真撮影装置１００で実行可能なシステムプログラム、当該システムプログラムで実行可能な各種処理プログラム、これら各種処理プログラムを実行する際に使用されるデータ、制御部１１１によって演算処理された処理結果のデータなどを記憶する。なお、プログラムは、コンピュータが読み取り可能なプログラムコードの形でＲＯＭ１１６に記憶されている。
具体的には、ＲＯＭ１１６は、例えば、デジタルカメラ通信制御プログラム１１６１と、ネットワーク通信制御プログラム１１６２と、記憶制御プログラム１１６３と、抽出プログラム１１６４と、獲得プログラム１１６５と、プリント出力制御プログラム１１６６と、などを記憶している。
【００４５】
デジタルカメラ通信制御プログラム１１６１は、例えば、コインメック１６０からの基本料金に関する課金情報に応じて、すなわち、コインメック１６０からの基本料金に関する課金情報の入力をトリガーとして、デジタルカメラ通信部１９０に制御信号を出力して、デジタルカメラ通信部１９０に、ボックス１００ｅ内（特定エリアＡ内）に位置するデジタルカメラ４００と所定のプロトコル（PTP/IP通信プロトコル）に準じた無線通信を行わせて、デジタルカメラ４００との間で画像データ等の各種情報を送受信させる機能を、制御部１１１に実現させる。
【００４６】
具体的には、制御部１１１は、例えば、コインメック１６０からの第１基本料金に関する課金情報の入力をトリガーとして、デジタルカメラ通信部１９０に、ボックス１００ｅ内（特定エリアＡ内）に位置するデジタルカメラ４００に対してＩＰアドレスの問い合わせをさせて、デジタルカメラ４００と所定のプロトコル（PTP/IP通信プロトコル）に準じた無線通信を行わせて、デジタルカメラ４００から、デジタルカメラ４００のメモリ内の画像データを取得させる。
ここで、第１基本料金とは、デジタルカメラ４００から画像データを預かる前提として徴収する基本料金のことである。
【００４７】
また、制御部１１１は、コインメック１６０からの第２基本料金に関する課金情報の入力をトリガーとして、デジタルカメラ通信部１９０に、ボックス１００ｅ内（特定エリアＡ内）に位置するデジタルカメラ４００に対してＩＰアドレスの問い合わせをさせて、デジタルカメラ４００と所定のプロトコル（PTP/IP通信プロトコル）に準じた無線通信を行わせて、抽出プログラム１１６４を実行した制御部１１１により抽出された画像データ又は獲得プログラム１１６５を実行した制御部１１１により獲得された画像データを、デジタルカメラ４００に出力させる。これにより、当該出力された画像データが、デジタルカメラ４００のメモリに再び記憶されることになる。
ここで、第２基本料金とは、デジタルカメラ４００に画像データを返却する前提として徴収する基本料金のことである。
なお、通信手段は、デジタルカメラ通信部１９０と、デジタルカメラ通信制御プログラム１１６１を実行した制御部１１１と、から構成される。
【００４８】
ネットワーク通信制御プログラム１１６２は、例えば、ネットワーク通信部１９５に制御信号を出力して、ネットワーク通信部１９５に、デジタルカメラ通信部１９０及びデジタルカメラ通信制御プログラム１１６１を実行した制御部１１１により取得された画像データと、当該画像データを識別するための受付オーダ番号とを、ネットワークＮを介して、サーバ装置３００に送信させる機能、又は、ネットワークＮを介して（或いは、ネットワークＮを介してサーバ装置３００を経由して）、第２証明写真撮影装置２００（外部機器）に転送させる機能を、制御部１１１に実現させる。
【００４９】
具体的には、制御部１１１は、例えば、ユーザＭによる操作部１７０の操作によって、保管先としてサーバ装置３００が選択された場合には、画像データと受付オーダ番号をサーバ装置３００に送信し、保管先として第２証明写真撮影装置２００（外部機器）が選択された場合には、画像データと受付オーダ番号を第２証明写真撮影装置２００（外部機器）に転送する。
【００５０】
記憶制御プログラム１１６３は、例えば、ＤＶＤ記憶部１１４に制御信号を出力して、ＤＶＤ記憶部１１４に、デジタルカメラ通信部１９０及びデジタルカメラ通信制御部１１６１を実行した制御部１１１により取得された画像データと、当該画像データの受付オーダ番号とを、対応付けて記憶させる機能、第２証明写真撮影装置２００のネットワーク通信部２９５（後述）及びネットワーク通信制御プログラム２１６２を実行した制御部２１１（後述）により転送された画像データと、当該画像データの受付オーダ番号と、を対応付けて記憶させる機能、を制御部１１１に実現させる。
【００５１】
抽出プログラム１１６４は、例えば、ユーザＭによる操作部１７０の操作により入力された受付オーダ番号に対応する画像データを、ＤＶＤ記憶部１１４から抽出する機能を、制御部１１１に実現させる。
【００５２】
獲得プログラム１１６５は、例えば、ネットワーク通信部１９５及びネットワーク通信制御プログラム１１６２を実行した制御部１１１（又は、第２証明写真撮影装置２００のネットワーク通信部２９５（後述）及びネットワーク通信制御プログラム２１６２を実行した制御部２１１（後述））によりサーバ装置３００に送信された画像データのうちの、ユーザＭによる操作部１７０の操作により入力された受付オーダ番号に対応する画像データを、ネットワークＮを介してサーバ装置３００から獲得する機能を、制御部１１１に実現させる。
【００５３】
具体的には、制御部１１１は、ネットワーク通信部１９５に制御信号を出力して、ネットワーク通信部１９５に、サーバ装置３００に対して、ユーザＭによる操作部１７０の操作により入力された受付オーダ番号に対応する画像データの送信要求を送信させる。これにより、サーバ装置３００から当該送信要求した画像データを獲得することができる。
【００５４】
プリント出力制御プログラム１１６６は、例えば、プリンタ部１８０に制御信号を出力して、プリンタ部１８０に、デジタルカメラ通信部１９０及びデジタルカメラ通信制御部１１６１を実行した制御部１１１により取得された画像データに対応する受付オーダ番号を含む受付完了情報を所定の用紙にプリント出力させ、当該受付完了情報がプリント出力された所定の用紙を取出口１８１から排出させる機能を、制御部１１１に実現させる。
【００５５】
（第２証明写真撮影装置の構成）
第２証明写真撮影装置２００の構成は、例えば、図５〜７に示すように、第１証明写真撮影装置１００の構成（図２〜４）と略同一であり、第２証明写真撮影装置２００を構成する各部は、第１証明写真撮影装置２００を構成する各部のうちの同一名称のものと略同一の機能を有するため、詳細な説明は簡略する。
【００５６】
＜画像データ転送システムにおける処理＞
次に、画像データ転送システム１０００における処理について説明する。
ここで、第１証明写真撮影装置１００も、第２証明写真撮影装置２００も、外部機器としての役割を果たし得る。すなわち、第１証明写真撮影装置１００がデジタルカメラ４００から画像データを預かった場合は、第２証明写真撮影装置２００が外部機器としての役割を果たし、第２証明写真撮影装置２００がデジタルカメラ４００から画像データを預かった場合は、第１証明写真撮影装置１００が外部機器としての役割を果たす。
そこで、本実施の形態の画像データ転送システム１００における処理については、第１証明写真撮影装置１００がデジタルカメラ４００から画像データを預かり、第２証明写真撮影装置２００が外部機器としての役割を果たす場合を例示して説明する。
【００５７】
（画像データ預かり処理）
まず、画像データ転送システム１０００における、第１証明写真撮影装置１００による、デジタルカメラ４００から画像データを預かる処理について、図８及び９のフローチャートを参照して説明する。
【００５８】
入室センサ１５０が、ユーザＭが撮影室１００ｃ内に入室したことを検出すると（ステップＳ１１１）、第１証明写真撮影装置１００の制御部１１１は、表示部１４０に、「開始案内画面」を表示させる（ステップＳ１１２）。
「開始案内画面」では、例えば、第１証明写真撮影装置１００で「証明写真を作成する」のか、第１証明写真撮影装置１００にデジタルカメラ４００のメモリ内の「画像データを預ける」のか、第１証明写真撮影装置１００からデジタルカメラ４００のメモリ内に「画像データを返却」してもらうのか、をユーザＭが選択できるようになっている。
【００５９】
次いで、ユーザＭによる操作部１７０の操作によって、ステップＳ１１２で表示された「開始案内画面」において、「画像データを預ける」が選択されると（ステップＳ１１３）、制御部１１１は、表示部１４０に、「第１基本料金投入指示画面」を表示させる（ステップＳ１１４）。
【００６０】
次いで、制御部１１１は、ステップＳ１１４で表示された「第１基本料金投入指示画面」に応じた第１基本料金の入金（課金）を、コインメック１６０から入力された課金情報により確認し（ステップＳ１１５）、必要があれば、コインメック１６０に釣銭を返金させる。
【００６１】
次いで、制御部１１１は、表示部１６０に、「デジタルカメラ収容指示画面」を表示させて、ユーザＭに、デジタルカメラ４００をボックス１００ｅ（特定エリアＡ）内に収容するよう指示する（ステップＳ１１６）。
【００６２】
次いで、制御部１１１は、ステップＳ１１５でのコインメック１６０からの第１基本料金に関する課金情報の入力をトリガーとして、デジタルカメラ通信制御部１１６１を実行して、デジタルカメラ通信部１９０に、ボックス１００ｅ内（特定エリアＡ内）に位置するデジタルカメラ４００に対してＩＰアドレスの問い合わせをさせて（ステップＳ１１７）、デジタルカメラ４００と所定のプロトコル（PTP/IP通信プロトコル）に準じた無線通信を行わせる（ステップＳ１１８）。
【００６３】
次いで、制御部１１１は、ステップＳ１１８でデジタルカメラ４００と無線通信できたか否かを判断する（ステップＳ１１９）。
【００６４】
ステップＳ１１９で、デジタルカメラ４００と無線通信できなかったと判断すると（ステップＳ１１９；Ｎｏ）、制御部１１１は、ステップＳ１１７以降の処理を繰り返して行う。
【００６５】
一方、ステップＳ１１９で、デジタルカメラ４００と無線通信できたと判断すると（ステップＳ１１９；Ｙｅｓ）、制御部１１１は、デジタルカメラ４００から、デジタルカメラ４００のメモリ内の画像データのサムネイル画像データを取得させる（ステップＳ１２０）。
【００６６】
次いで、制御部１１１は、「預ける画像データ選択画面」を、表示部１４０に表示させる（ステップＳ１２１）。
「預ける画像データ選択画面」では、ステップＳ１２０で取得されたサムネイル画像データに基づくサムネイル画像が表示されるようになっており、ユーザＭは、第１証明写真撮影装置１００に預ける画像データを選択できるようになっている。
【００６７】
ユーザＭによる操作部１７０の操作によって、ステップＳ１２１で表示された「預ける画像データ選択画面」において、第１証明写真撮影装置１００に預ける画像データが選択されると（ステップＳ１２２）、制御部１１１は、「保管先選択画面」を、表示部１４０に表示させる（ステップＳ１２３）。
「保管先選択画面」では、ユーザＭは、第１証明写真撮影装置１００に預ける画像データの保管先を、第１証明写真撮影装置１００にするのか、第２証明写真撮影装置２００（外部機器）にするのか、或いは、サーバ装置３００にするのか、を選択できるようになっている。
【００６８】
ステップＳ１２３で表示された「保管先選択画面」において、画像データの保管先が選択されると（ステップＳ１２４）、制御部１１１は、「手数料投入指示画面」を、表示部１４０に表示させる（ステップＳ１２５）。
「手数料投入指示画面」では、ステップＳ１２２で選択された画像データのメモリ量や、ステップＳ１２４で選択された画像データの保管先などに応じた金額が、手数料として表示されるようになっている。
【００６９】
次いで、制御部１１１は、ステップＳ１２５で表示された「手数料投入指示画面」に応じた手数料の入金（課金）を、コインメック１６０から入力された課金情報により確認し（ステップＳ１２６）、必要があれば、コインメック１６０に釣銭を返金させる。
【００７０】
次いで、制御部１１１は、デジタルカメラ通信制御プログラム１１６１を実行して、デジタルカメラ通信部１９０に、ボックス１００ｅ内（特定エリアＡ内）に位置するデジタルカメラ４００と所定のプロトコル（PTP/IP通信プロトコル）に準じた無線通信を行わせて、デジタルカメラ４００から、ステップＳ１２２で選択された画像データを取得させる（ステップＳ１２６）。
【００７１】
次いで、制御部１１１は、記憶制御プログラム１１６３を実行して、ＤＶＤ記憶部１１４に、ステップＳ１２７で取得された画像データと、当該画像データの受付オーダ番号とを、対応付けて記憶させる（ステップＳ１２８）。
【００７２】
次いで、制御部１１１は、プリント出力制御プログラム１１６６を実行して、プリンタ部１８０に、ステップＳ１２８でＤＶＤ記憶部１１４に記憶された画像データに対応する受付オーダ番号を含む受付完了情報を所定の用紙にプリント出力させ（ステップＳ１２９）、当該受付完了情報がプリント出力された所定の用紙を取出口１８１から排出させる。
【００７３】
次いで、ステップＳ１２４で選択された画像データの保管先が、第２証明写真撮影装置２００（外部機器）であったか否かを判断する（ステップＳ１３０）。
【００７４】
ステップＳ１３０で、画像データの保管先が、第２証明写真撮影装置２００（外部機器）であったと判断すると（ステップＳ１３０；Ｙｅｓ）、制御部１１１は、ネットワーク通信制御プログラム１１６２を実行して、ネットワーク通信部１９５に、ステップＳ１２８でＤＶＤ記憶部１１４に記憶された画像データと、当該画像データを識別するための受付オーダ番号とを、ネットワークＮを介して、第２証明写真撮影装置２００（外部機器）に転送させる（ステップＳ１３１）。
そして、ステップＳ１３１で転送された画像データと受付オーダ番号を、第２証明写真撮影装置２００のネットワーク通信部２９５が受信すると、第２証明写真撮影装置２００の制御部２１１は、記憶制御プログラム２１６３を実行して、ＤＶＤ記憶部２１４に、当該転送された画像データと受付オーダ番号を対応付けて記憶させる。
【００７５】
次いで、制御部１１１は、ステップＳ１２８でＤＶＤ記憶部１１４に記憶された画像データと受付オーダ番号を、ＤＶＤ記憶部１１４から消去して（ステップＳ１３２）、本処理を終了する。
【００７６】
一方、ステップＳ１３０で、画像データの保管先が、第２証明写真撮影装置２００（外部機器）でなかったと判断すると（ステップＳ１３０；Ｎｏ）、制御部１１１は、ステップＳ１２４で選択された画像データの保管先が、サーバ装置３００であったか否かを判断する（ステップＳ１３３）。
【００７７】
ステップＳ１３３で、画像データの保管先が、サーバ装置３００であったと判断すると（ステップＳ１３３；Ｙｅｓ）、制御部１１１は、ネットワーク通信制御プログラム１１６２を実行して、ネットワーク通信部１９５に、ステップＳ１２８でＤＶＤ記憶部１１４に記憶された画像データと、当該画像データを識別するための受付オーダ番号とを、ネットワークＮを介して、サーバ装置３００に送信させる（ステップＳ１３４）。
これにより、サーバ装置３００に画像データと受付オーダ番号とが対応付けて記憶される。
【００７８】
次いで、制御部１１１は、ステップＳ１２８でＤＶＤ記憶部１１４に記憶された画像データと受付オーダ番号を、ＤＶＤ記憶部１１４から消去して（ステップＳ１３５）、本処理を終了する。
【００７９】
一方、ステップＳ１３３で、画像データの保管先が、サーバ装置３００でなかったと判断すると（ステップＳ１３３；Ｎｏ）、すなわち、ステップＳ１２４で選択された画像データの保管先が、第１証明写真撮影装置１００であった場合には、制御部１１１は、本処理を終了する。
【００８０】
（画像データ返却処理）
次に、画像データ転送システム１０００における、第１証明写真撮影装置１００により預かった画像データを、デジタルカメラ４００に返却する処理について説明する。
ここで、当該処理については、画像データ預かり処理（図８及び９）のステップＳ１２４で、保管先として第１証明写真撮影装置１００が選択された場合（図１０及び１１）と、保管先として第２証明写真撮影装置２００（外部機器）が選択された場合（図１２及び１３）と、保管先としてサーバ装置３００が選択された場合（図１４及び１５）と、に分けて説明する。
【００８１】
[保管先として第１証明写真撮影装置が選択された場合]
まず、画像データ転送システム１０００における、第１証明写真撮影装置１００による、第１証明写真撮影装置１００により預かり、第１証明写真撮影装置１００により保管された画像データを、デジタルカメラ４００に返却する処理について、図１０及び１１を参照して説明する。
【００８２】
ステップＳ２１１及びＳ２１２の処理は、画像データ預かり処理（図８及び９）のステップＳ１１１及びＳ１１２の処理と略同一であるため、詳細な説明は省略する。
【００８３】
次いで、ユーザＭによる操作部１７０の操作によって、ステップＳ２１２で表示された「開始案内画面」において、「画像データを返却」が選択されると（ステップＳ２１３）、制御部１１１は、表示部１４０に、「第２基本料金投入指示画面」を表示させる（ステップＳ２１４）。
【００８４】
次いで、制御部１１１は、ステップＳ２１４で表示された「第２基本料金投入指示画面」に応じた第２基本料金の入金（課金）を、コインメック１６０から入力された課金情報により確認し（ステップＳ２１５）、必要があれば、コインメック１６０に釣銭を返金させる。
【００８５】
ステップＳ２１６〜Ｓ２１９の処理は、画像データ預かり処理（図８及び９）のステップＳ１１６〜Ｓ１１９と略同一であるため、詳細な説明は省略する。
【００８６】
次いで、制御部１１１は、「受付オーダ番号入力画面」を、表示部１４０に表示させて、ユーザＭに、返却してもらいたい画像データの受付オーダ番号を入力するよう指示する（ステップＳ２２０）。
【００８７】
次いで、ユーザＭによる操作部１７０の操作によって、ステップＳ２２０で表示された「受付オーダ番号入力画面」において、返却してもらいたい画像データの受付オーダ番号が入力されると（ステップＳ２２１）、制御部１１１は、抽出プログラム１１６４を実行して、ステップＳ２２１で入力された受付オーダ番号に対応する画像データを、ＤＶＤ記憶部１１４から抽出する（ステップＳ２２２）。
【００８８】
次いで、制御部１１１は、「返却画像データ選択画面」を、表示部１４０に表示させる（ステップＳ２２３）。
「返却画像データ選択画面」では、ステップＳ２２２で抽出された画像データに基づく画像のサムネイル画像が表示されるようになっており、ユーザＭは、第１証明写真撮影装置１００から返却してもらいたい画像データを選択できるようになっている。
【００８９】
ユーザＭによる操作部１７０の操作によって、ステップＳ２２３で表示された「返却画像データ選択画面」において、第１証明写真撮影装置１００から返却してもらいたい画像データが選択されると（ステップＳ２２４）、制御部１１１は、「手数料投入指示画面」を、表示部１４０に表示させる（ステップＳ２２５）。
「手数料投入指示画面」では、ステップＳ２２２で抽出された画像データの保管期間等に応じた金額が、手数料として表示されるようになっている。
【００９０】
次いで、制御部１１１は、ステップＳ２２５で表示された「手数料投入指示画面」に応じた手数料の入金（課金）を、コインメック１６０から入力された課金情報により確認し（ステップＳ２２６）、必要があれば、コインメック１６０に釣銭を返金させる。
【００９１】
次いで、制御部１１１は、デジタルカメラ通信制御プログラム１１６１を実行して、デジタルカメラ通信部１９０に、ボックス１００ｅ内（特定エリアＡ内）に位置するデジタルカメラ４００と所定のプロトコル（PTP/IP通信プロトコル）に準じた無線通信を行わせて、ステップＳ２２２で抽出された画像データのうちの、ステップＳ２２４で選択された画像データを、デジタルカメラ４００に出力（返却）させる（ステップＳ２２７）。
【００９２】
次いで、制御部１１１は、プリンタ部１８０に、ステップＳ２２７でデジタルカメラ４００に出力（返却）された画像データに対応する返却オーダ番号（例えば、受付オーダ番号と略同一の番号）や伝票などを含む返却完了情報を所定の用紙にプリント出力させ（ステップＳ２２８）、当該返却完了情報がプリント出力された所定の用紙を取出口１８１から排出させる。
【００９３】
次いで、制御部１１１は、ステップＳ２２７でデジタルカメラ４００に出力（返却）された画像データと受付オーダ番号を、ＤＶＤ記憶部１１４から消去して（ステップＳ２２９）、本処理を終了する。
【００９４】
[保管先として第２証明写真撮影装置（外部機器）が選択された場合]
次に、画像データ転送システム１０００における、第２証明写真撮影装置２００（外部機器）による、第１証明写真撮影装置１００により預かり、第２証明写真撮影装置２００（外部機器）により保管された画像データを、デジタルカメラ４００に返却する処理について、図１２及び１３を参照して説明する。
【００９５】
第１証明写真撮影装置１００により保管された画像データ返却処理（図１０及び図１１）は、第１証明写真撮影装置１００により実行されるのに対し、第２証明写真撮影装置２００（外部機器）により保管された画像データ返却処理（図１２及び図１３）は、第２証明写真撮影装置１００により実行される。すなわち、第２証明写真撮影装置２００（外部機器）により保管された画像データ返却処理（図１２及び図１３）は、第２証明写真撮影装置２００（外部機器）により実行される点のみが、第１証明写真撮影装置１００により保管された画像データ返却処理（図１０及び図１１）と異なるだけであるため、詳細な説明は省略する。
なお、ステップＳ３２２で、第２証明写真撮影装置２００（外部機器）のＤＶＤ記憶部２１４から抽出される画像データは、例えば、画像データ預かり処理（図８及び９）のステップＳ１３１で、第１証明写真撮影装置１００のネットワーク通信部１９５及びネットワーク通信制御プログラム１１６２を実行した制御部１１１により転送された画像データ等である。
【００９６】
[保管先としてサーバ装置が選択された場合]
次に、画像データ転送システム１０００における、第１証明写真撮影装置１００による、第１証明写真撮影装置１００により預かり、サーバ装置３００により保管された画像データを、デジタルカメラ４００に返却する処理について、図１４及び１５を参照して説明する。
【００９７】
ステップＳ４１１〜Ｓ４２１の処理は、第１証明写真撮影装置１００により保管された画像データ返却処理（図１０及び図１１）のステップＳ２１１〜Ｓ２２１の処理と略同一であるため、詳細な説明は省略する。
【００９８】
次いで、制御部１１１は、獲得プログラム１１６５を実行して、ステップＳ４２１で入力された受付オーダ番号に対応する画像データを、ネットワークＮを介して、サーバ装置３００から獲得する（ステップＳ４２２）。
【００９９】
ステップＳ４２３〜Ｓ４２８の処理は、第１証明写真撮影装置１００により保管された画像データの画像データ返却処理（図１０及び１１）のステップＳ２２３〜Ｓ２２８の処理と略同一であるため、詳細な説明は省略する。
【０１００】
次いで、制御部１１１は、ステップＳ４２７でデジタルカメラ４００に出力（返却）された画像データと受付オーダ番号を、サーバ装置３００から消去して（ステップＳ４２９）、本処理を終了する。
【０１０１】
以上説明した本発明の証明写真撮影装置（例えば、第１証明写真撮影装置１００）によれば、デジタルカメラ通信部１９０及びデジタルカメラ通信制御プログラム１１６１を実行した制御部１１１と、デジタルカメラ４００と所定のプロトコル（PTP/IP通信プロトコル）に準じた無線通信を行って、デジタルカメラ４００との間で画像データを送受信することができ、ＤＶＤ記憶部１１４と、デジタルカメラ通信部１９０及びデジタルカメラ通信制御プログラム１１６１を実行した制御部１１１により受信された画像データを記憶することができるため、デジタルカメラ４００により撮影された画像データを預かっておくことができる。
すなわち、第１証明写真撮影装置１００や第２証明写真撮影装置２００は、デジタルカメラ４００のメモリ内の画像データを預かって保管しておくことができる。したがって、例えば、出先でデジタルカメラ４００のメモリが画像データで満杯になり、予備のメモリの手持ちがない場合でも、ユーザは、第１証明写真撮影装置１００や第２証明写真撮影装置２００を利用することによって、デジタルカメラ４００での撮影を続行することができる。
【０１０２】
また、画像データの送受信に適した無線通信プロトコルであるPTP/IP通信プロトコルを適用することができる。
【０１０３】
また、第１証明写真撮影装置１００内に、電磁波吸収材料及び/又は電磁波遮蔽材料によって形成されたボックス１００ｅを設置して、このボックス１００ｅ内を、デジタルカメラ４００との無線通信を妨害する妨害電磁波の強度が周囲のエリアよりも低い特定エリアＡ内とすることができ、デジタルカメラ通信部１９０及びデジタルカメラ通信制御プログラム１１６１を実行した制御部１１１は、特定エリアＡ内（ボックス１００ｅ内）に位置するデジタルカメラ４００と所定のプロトコル（PTP/IP通信プロトコル）に準じた無線通信を行って、デジタルカメラ４００との間で画像データを送受信することができる。
したがって、第１証明写真撮影装置１００のデジタルカメラ通信部１９０はボックス１００ｅ内に位置するデジタルカメラ４００としか無線通信しないため、ボックス１００ｅ外に位置する無関係のデジタルカメラとの誤通信を防止することができる。
第２証明写真撮影装置２００においても、同様である。
【０１０４】
なお、本発明は、上記した実施の形態のものに限るものではなく、その要旨を逸脱しない範囲で適宜変更可能である。
外部機器は、第１証明写真撮影装置１００や第２証明写真撮影装置２００の限りでなく、例えば、ユーザＭが所有するパソコン等であってもよい。
デジタルカメラ４００は、例えば、撮像機能を備えた携帯電話機等であってもよい。
【０１０５】
第１証明写真撮影装置１００や第２証明写真撮影装置２００と、デジタルカメラ４００との無線通信のプロトコルは、PTP/IP通信プロトコルの限りでなく、画像データの送受信をすることができる無線通信プロトコルであれば、任意である。
【０１０６】
第１証明写真撮影装置１００は、ネットワークＮに接続されていなくてもよい。この場合、第１証明写真撮影装置１００により預かった画像データを、第１証明写真撮影装置１００により保管し、第１証明写真撮影装置１００からデジタルカメラ４００に返却する処理のみが行える。
第２証明写真撮影装置２００においても、同様である。
【０１０７】
＜変形例＞
ボックス１００ｅを設置する替わりに、第１証明写真撮影装置１００の筐体１００ａ（カーテン１００ｄも含む）の一部又は全部を、電磁波吸収材料及び/又は電磁波遮蔽材料によって形成して、第１証明写真撮影装置１００内（撮影室１００ｃ内）の一部又は全体を特定エリアＡとしてもよい。
この場合、筐体１００ａを、例えば、電磁波吸収塗料（例えば、電磁波ノイズ吸収抑制塗料<OLS-9014>（株式会社日本電波吸収体  製）等）が塗布された材料や、電磁波吸収ボード（例えば、発泡ポリエチレンボード型吸収体<ＰＥＢシリーズ>（東北化工株式会社  製）等）で構成された材料、電磁波遮蔽フィルム（例えば、電磁波シールドフィルム<RE35AMAR>（住友スリーエム株式会社  製）、レフテル（ＮＩ帝人商事株式会社  製）等）が貼付された材料で形成するとともに、カーテン１００ｄを、例えば、電磁波吸収材料（例えば、ゴムシート型吸収体<ＲＳシリーズ>（東北化工株式会社  製）、ゴム系電波吸収体<ＪＡシリーズ>，<ＪＢシリーズ>（ＦＤＫ株式会社  製）等）や、電磁波遮蔽材料（例えば、電磁波シールド布<MS-PY>（株式会社日本電波吸収体  製）等）により形成するとよい。
第２証明写真撮影装置２００においても、同様である。
【図面の簡単な説明】
【０１０８】
【図１】本発明にかかる画像データ転送システムの全体構成を示す図である。
【図２】図１に示す第１証明写真撮影装置の正面図である。
【図３】図１に示す第１証明写真撮影装置を示す透視図である。
【図４】図１に示す第１証明写真撮影装置の機能的構成を示すブロック図である。
【図５】図１に示す第２証明写真撮影装置の正面図である。
【図６】図１に示す第２証明写真撮影装置を示す透視図である。
【図７】図１に示す第２証明写真撮影装置の機能的構成を示すブロック図である。
【図８】本発明にかかる画像データ転送システムにおける、第１証明写真撮影装置による、デジタルカメラから画像データを預かる処理（第１処理）について説明するためのフローチャートである。
【図９】本発明にかかる画像データ転送システムにおける、第１証明写真撮影装置による、デジタルカメラから画像データを預かる処理（第２処理）について説明するためのフローチャートである。
【図１０】本発明にかかる画像データ転送システムにおける、第１証明写真撮影装置による、第１証明写真撮影装置により預かり、第１証明写真撮影装置により保管された画像データを、デジタルカメラに返却する処理（第１処理）について説明するためのフローチャートである。
【図１１】本発明にかかる画像データ転送システムにおける、第１証明写真撮影装置による、第１証明写真撮影装置により預かり、第１証明写真撮影装置により保管された画像データを、デジタルカメラに返却する処理（第２処理）について説明するためのフローチャートである。
【図１２】本発明のかかる画像データ転送システムにおける、第２証明写真撮影装置（外部機器）による、第１証明写真撮影装置により預かり、第２証明写真撮影装置（外部機器）により保管された画像データを、デジタルカメラに返却する処理（第１処理）について説明するためのフローチャートである。
【図１３】本発明のかかる画像データ転送システムにおける、第２証明写真撮影装置（外部機器）による、第１証明写真撮影装置により預かり、第２証明写真撮影装置（外部機器）により保管された画像データを、デジタルカメラに返却する処理（第２処理）について説明するためのフローチャートである。
【図１４】本発明にかかる画像データ転送システムにおける、第１証明写真撮影装置による、第１証明写真撮影装置により預かり、サーバ装置により保管された画像データを、デジタルカメラに返却する処理（第１処理）を説明するためのフローチャートである。
【図１５】本発明にかかる画像データ転送システムにおける、第１証明写真撮影装置による、第１証明写真撮影装置により預かり、サーバ装置により保管された画像データを、デジタルカメラに返却する処理（第２処理）を説明するためのフローチャートである。
【符号の説明】
【０１０９】
１００  第１証明写真撮影装置（証明写真撮影装置）
１００ｅ  ボックス
１１１  制御部（通信手段）
１１４  ＤＶＤ記憶部（記憶手段）
１９０  デジタルカメラ通信部（通信手段）
１１６１  デジタルカメラ通信制御プログラム（通信手段）
２００  第２証明写真撮影装置（証明写真撮影装置）
２００ｅ  ボックス
２１１  制御部（通信手段）
２１４  ＤＶＤ記憶部（記憶手段）
２９０  デジタルカメラ通信部（通信手段）
２１６１  デジタルカメラ通信制御プログラム（通信手段）
４００  デジタルカメラ
Ａ  特定エリア
【図１】
2007295372.tif 000003
【図２】
2007295372.tif 000004
【図３】
2007295372.tif 000005
【図４】
2007295372.tif 000006
【図５】
2007295372.tif 000007
【図６】
2007295372.tif 000008
【図７】
2007295372.tif 000009
【図８】
2007295372.tif 000010
【図９】
2007295372.tif 000011
【図１０】
2007295372.tif 000012
【図１１】
2007295372.tif 000013
【図１２】
2007295372.tif 000014
【図１３】
2007295372.tif 000015
【図１４】
2007295372.tif 000016
【図１５】
2007295372.tif 000017